【手続補正書】
【提出日】令和1年7月9日(2019.7.9)
【手続補正１】
【補正対象書類名】特許請求の範囲
【補正対象項目名】全文
【補正方法】変更
【補正の内容】
【特許請求の範囲】
【請求項１】
複数種類の図柄を可変表示する表示手段と、可変表示を停止させる停止操作手段とを備え、可変表示が停止したときの表示結果に応じて特典を付与可能な遊技機において、
複数種類の特別役を含む複数の役のうちのいずれの役に当選したか否かを決定する役抽選を行う役抽選手段と、
前記役抽選の結果と前記停止操作手段の操作とに応じて図柄を停止する制御を行う停止制御手段と、
前記特別役に対応する図柄が停止されることにより遊技者にとって有利な特別状態に制御する特別状態制御手段と、
前記役抽選において前記特別役に当選してから当該特別役に対応する図柄が停止されるまで、当該特別役の当選を持ち越す持越手段と、
前記役抽選において前記特別役に当選している可能性を示唆するための演出であって、複数回の遊技に亘って演出の内容を進行させた後、当該演出の結末を報知する連続演出を実行する連続演出実行手段と、
前記特別役に当選しているときに当該特別役の種類を報知する種類報知演出を実行する種類報知演出実行手段とを備え、
前記停止操作手段への操作態様のうち前記特別役に当選しているときに当該特別役に対応する図柄が停止可能となる特定操作態様は、前記複数種類の特別役毎に異なるように定められており、
前記停止制御手段は、前記特別役に当選しているときであっても前記停止操作手段が当該特別役の種類に対応する特定操作態様以外の操作態様で操作されたときには当該特別役に対応する図柄を停止せず、前記停止操作手段が当該特定操作態様で操作されたときに当該特別役に対応する図柄を停止可能であり、
前記連続演出実行手段は、前記特別役に当選しているときには、前記連続演出の結末を報知するまでにおいて前記特別役に当選していることを示唆する当選示唆演出を実行可能であって、前記連続演出の結末が報知されるまでであれば当該連続演出が実行され得る複数回の遊技のうちの最終遊技のみならず当該最終遊技よりも前に行われる遊技においても前記当選示唆演出を実行可能であり、
前記種類報知手段は、前記連続演出中において前記当選示唆演出が実行されることを契機として、当該当選示唆演出が実行されたときまたは当該当選示唆演出が実行された後において、実行中の連続演出とともに前記種類報知演出を実行する、遊技機。
【請求項２】
前記連続演出中において前記当選示唆演出が実行されることにより、前記種類報知演出の実行を許可する許可情報を設定する許可情報設定手段を備え、
前記種類報知手段は、前記許可情報が設定されていることを条件として前記種類報知演出を実行する、請求項１に記載の遊技機。
【請求項３】
画像を表示可能な複数のレイヤを重ね合わせて表示領域に表示可能な画像表示手段を備え、
前記連続演出実行手段により実行される前記連続演出の画像は、前記画像表示手段における前記複数のレイヤのうち所定レイヤにおいて表示され、
前記種類報知手段により実行される前記種類報知演出の画像は、前記画像表示手段における前記複数のレイヤのうち前記所定レイヤよりも優先度が高いレイヤにおいて表示される、請求項１または請求項２に記載の遊技機。
【請求項４】
画像を表示領域に表示可能な画像表示手段を備え、
前記連続演出実行手段により実行される前記連続演出の画像は、前記表示領域に表示され、
前記連続演出実行手段により前記連続演出が実行される場合、当該連続演出の進行に応じて前記表示領域のうちの所定領域にメッセージ画像が表示され、
前記種類報知手段により実行される前記種類報知演出の画像は、前記表示領域のうち前記所定領域以外の領域に表示される、請求項１〜請求項３のいずれかに記載の遊技機。
【請求項５】
前記連続演出実行手段は、前記種類報知演出の実行を許容する連続演出中において当該種類報知演出が実行された後においても連続演出を実行する、請求項１〜請求項４のいずれかに記載の遊技機。
【手続補正２】
【補正対象書類名】明細書
【補正対象項目名】０００７
【補正方法】変更
【補正の内容】
【０００７】
本発明のある局面に従う遊技機は、複数種類の図柄を可変表示する表示手段と、可変表示を停止させる停止操作手段とを備え、可変表示が停止したときの表示結果に応じて特典を付与可能な遊技機において、複数種類の特別役を含む複数の役のうちのいずれの役に当選したか否かを決定する役抽選を行う役抽選手段と、前記役抽選の結果と前記停止操作手段の操作とに応じて図柄を停止する制御を行う停止制御手段と、前記特別役に対応する図柄が停止されることにより遊技者にとって有利な特別状態に制御する特別状態制御手段と、前記役抽選において前記特別役に当選してから当該特別役に対応する図柄が停止されるまで、当該特別役の当選を持ち越す持越手段と、前記役抽選において前記特別役に当選している可能性を示唆するための演出であって、複数回の遊技に亘って演出の内容を進行させた後、当該演出の結末を報知する連続演出を実行する連続演出実行手段と、前記特別役に当選しているときに当該特別役の種類を報知する種類報知演出を実行する種類報知演出実行手段とを備え、前記停止操作手段への操作態様のうち前記特別役に当選しているときに当該特別役に対応する図柄が停止可能となる特定操作態様は、前記複数種類の特別役毎に異なるように定められており、前記停止制御手段は、前記特別役に当選しているときであっても前記停止操作手段が当該特別役の種類に対応する特定操作態様以外の操作態様で操作されたときには当該特別役に対応する図柄を停止せず、前記停止操作手段が当該特定操作態様で操作されたときに当該特別役に対応する図柄を停止可能であり、前記連続演出実行手段は、前記特別役に当選しているときには、前記連続演出の結末を報知するまでにおいて前記特別役に当選していることを示唆する当選示唆演出を実行可能であって、前記連続演出の結末が報知されるまでであれば当該連続演出が実行され得る複数回の遊技のうちの最終遊技のみならず当該最終遊技よりも前に行われる遊技においても前記当選示唆演出を実行可能であり、前記種類報知手段は、前記連続演出中において前記当選示唆演出が実行されることを契機として、当該当選示唆演出が実行されたときまたは当該当選示唆演出が実行された後において、実行中の連続演出とともに前記種類報知演出を実行する。
【手続補正３】
【補正対象書類名】明細書
【補正対象項目名】０００８
【補正方法】変更
【補正の内容】
【０００８】
この構成によると、特別役に当選しているときには、連続演出の結末を報知するまでの所定タイミングにおいて当選示唆演出を実行可能であって、連続演出の結末が報知されるまでであれば当該連続演出が実行され得る複数回の遊技のうちの最終遊技のみならず当該最終遊技よりも前に行われる遊技においても当選示唆演出を実行可能であるとともに、当選示唆演出が実行されることを契機として、当該当選示唆演出が実行されたときまたは当該当選示唆演出が実行された後において連続演出とともに種類報知演出を実行する。このため、連続演出の結末を報知するまでに、特別役に当選していることを遊技者が認識できるとともに、当選している特別役の種類をも遊技者が認識可能となる。その結果、連続演出の結末が報知されるまでの演出に遊技者を注目させることができ、当該演出によって遊技の興趣を向上させることができる。
【手続補正４】
【補正対象書類名】明細書
【補正対象項目名】０００９
【補正方法】変更
【補正の内容】
【０００９】
好ましくは、前記連続演出中において前記当選示唆演出が実行されることにより、前記種類報知演出の実行を許可する許可情報を設定する許可情報設定手段を備え、前記種類報知手段は、前記許可情報が設定されていることを条件として前記種類報知演出を実行する。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００２３
【補正方法】変更
【補正の内容】
【００２３】
好ましくは、前記連続演出実行手段は、前記当選示唆演出による示唆とは異なり、前記所定タイミングよりも前のタイミングにおいて前記特別役に当選していることを示唆可能である。
この構成によると、所定タイミングよりも前に特別役に当選していることが示唆可能となる場合もあるため、連続演出のバリエーションを豊富にすることができる。また、少なくとも所定タイミング到達後において種類報知演出が実行されるため、所定タイミングまでに特別役に入賞してしまう可能性を低減でき、所定タイミングまでの連続演出によって遊技の興趣を向上させることができる。
好ましくは、前記特別役に当選しているときに、前記連続演出とは異なる演出であって当該特別役の当選が確定している旨を報知する確定演出を実行する確定演出実行手段を備え、前記連続演出実行手段は、連続演出中において前記種類報知演出の実行を許容する第１演出種別（例えば、後述する別系統における第１連続演出、同一系統における第１演出種別）および連続演出中において前記種類報知演出の実行を許容しない第２演出種別（例えば、後述する別系統における第２連続演出、同一系統における第２演出種別）のうちのいずれかを実行可能であり、前記特別役に当選しているときであって前記第２演出種別による連続演出の結末が報知された以降においては、前記確定演出実行手段により前記確定演出が実行され、前記特別役に当選しているときであって前記第１演出種別による連続演出の結末が報知された以降においては、前記確定演出実行手段により前記確定演出が実行されることなく、当該特別役に対応する図柄が停止されるまで前記連続演出実行手段により当該連続演出の結末が継続して報知される。
この構成によると、第２演出種別による連続演出の結末が報知された以降においては確定演出が実行される。これに対して、第１演出種別による連続演出中においては、当該連続演出の結末を報知するまでに特別役に当選していることを遊技者が認識できるとともに、当選している特別役の種類をも遊技者が認識可能となるために、当該第１演出種別による連続演出の結末が報知された以降においては確定演出が実行されずに当該連続演出の結末が継続して報知される。このため、第２演出種別による連続演出と比較して、第１演出種別による連続演出においては当該連続演出中において特別役に関する情報を報知可能となることにより、その後の第１演出種別による連続演出の結末が報知されるまでの演出に遊技者をより一層注目させることができ、当該演出によって効果的に遊技の興趣を向上させることができる。また、第１演出種別による連続演出の結末を報知してから特別役に対応する図柄が停止されるまでの処理負担を軽減することができるとともに、当該連続演出の結末を遊技者に印象付けることができ、遊技の興趣を向上させることができる。
好ましくは、前記特別役に当選しているときに、前記連続演出とは異なる演出であって当該特別役の当選が確定している旨を報知する確定演出を実行する確定演出実行手段を備え、前記連続演出実行手段は、実行している連続演出中における遊技の進行に応じて、前記種類報知演出の実行を許容する第１演出種別（例えば、後述する別系統における第１連続演出、同一系統における第１演出種別）および前記種類報知演出の実行を許容しない第２演出種別（例えば、後述する別系統における第２連続演出、同一系統における第２演出種別）のうちのいずれかを実行可能であり、前記特別役に当選しているときであって前記第２演出種別による連続演出の結末が報知された以降においては、前記確定演出実行手段により前記確定演出が実行され、前記特別役に当選しているときであって前記第１演出種別による連続演出の結末が報知された以降においては、前記確定演出実行手段により前記確定演出が実行されることなく、当該特別役に対応する図柄が停止されるまで前記連続演出実行手段により当該連続演出の結末が継続して報知される。
この構成によると、連続演出中における遊技の進行に応じて第２演出種別による連続演出が実行されて当該連続演出の結末が報知された以降においては確定演出が実行される。これに対して、連続演出中における遊技の進行に応じて第１演出種別による連続演出が実行されているときには、当該連続演出の結末を報知するまでに特別役に当選していることを遊技者が認識できるとともに、当選している特別役の種類をも遊技者が認識可能となるために、当該第１演出種別による連続演出の結末が報知された以降においては確定演出が実行されずに当該連続演出の結末が継続して報知される。このため、第２演出種別による連続演出と比較して、第１演出種別による連続演出においては当該連続演出中において特別役に関する情報を報知可能となることにより、その後の第１演出種別による連続演出の結末が報知されるまでの演出に遊技者をより一層注目させることができ、当該演出によって効果的に遊技の興趣を向上させることができる。また、第１演出種別による連続演出の結末を報知してから特別役に対応する図柄が停止されるまでの処理負担を軽減することができるとともに、当該第１演出種別による連続演出の結末を遊技者に印象付けることができ、遊技の興趣を向上させることができる。また、連続演出の途中において第１演出種別または第２演出種別のいずれかとなるため、いずれの種別による連続演出が実行されるかに対する期待感を遊技者に抱かせることができる。また、連続演出の途中からいずれかの種別による連続演出が実行されるため、遊技者を飽きさせにくくすることができる。
好ましくは、前記連続演出が開始されてから当該連続演出の結末が報知されるまでに割り当てられている実行時間は、前記種類報知演出の実行を許可しない連続演出であるときよりも前記種類報知演出の実行を許容する連続演出であるときの方が長い。
この構成によると、連続演出が開始されてから連続演出の結末が報知されるまでに割り当てられている実行時間が種類報知演出の実行を許可しない連続演出よりも種類報知演出の実行を許容する連続演出の方が長い一方で、種類報知演出の実行を許容する連続演出終了後においては確定演出が実行されない。このため、種類報知演出の実行を許容する連続演出の結末が報知されるまでの演出に対する遊技者の関心度合いを向上させることができる。
好ましくは、前記連続演出実行手段は、前記連続演出中において前記種類報知演出が実行された後において、当該種類報知演出が第１タイミングにおいて実行されたときには、当該第１タイミングよりも後の第２タイミングにおいて実行されたときよりも長い時間に亘って連続演出を実行する。